(57)【特許請求の範囲】
【請求項１】
リール本体に回転自在に支持されたスプールと、前記スプールを回転駆動させるスプール駆動用モータとを備え、前記スプール駆動用モータを収容体内に収容するとともに、この収容体を介して前記スプール駆動用モータを前記スプールに内蔵して成る魚釣用電動リールにおいて、
前記収容体は、リール本体の一側枠からスプールの軸方向に延びる円筒部材として形成されるとともに、前記一側枠と反対側に位置するその端部に、収容体の径方向内側に突出する環状の保持部を有し、この保持部と前記一側枠との間で前記スプール駆動用モータを回転不能に挟着保持することを特徴とする魚釣用電動リール。
【請求項２】
前記スプール駆動用モータは、前記保持部と前記一側枠との間で弾性材を介して回転不能に挟着保持されており、前記弾性材は、前記収容体内を水密に維持するシール材を兼ねていることを特徴とする請求項１に記載の魚釣用電動リール。
【請求項３】
リール本体に回転自在に支持されたスプールと、前記スプールを回転駆動させるスプール駆動用モータとを備え、前記スプール駆動用モータを収容体内に収容するとともに、この収容体を介して前記スプール駆動用モータを前記スプールに内蔵して成る魚釣用電動リールにおいて、
前記収容体は、リール本体の一側枠からスプールの軸方向に延びる円筒部材として形成されるととも、前記一側枠と反対側に位置するその一端部内面に環状の凸部を有し、この凸部は、前記スプール駆動用モータの端部外周面に当接してこれを保持することにより、前記スプール駆動用モータの駆動軸の軸心位置を規定し、また、前記収容体の前記一端部の開口は、収容体内を水密に維持するシール材によって閉塞されていることを特徴とする魚釣用電動リール。
【請求項４】
前記収容体は、リール本体と別体で形成され、リール本体の前記一側枠に固定されていることを特徴とする請求項１ないし請求項３のいずれか１項に記載の魚釣用電動リール。
【請求項５】
前記収容体は、リール本体に着脱自在に取り付けられる前記一側枠と一体になっていることを特徴とする請求項１ないし請求項３のいずれか１項に記載の魚釣用電動リール。
【発明の詳細な説明】
【０００１】
【発明の属する技術分野】
本発明は、リール本体に回転自在に支持されたスプールを巻き取り駆動するスプール駆動用モータを備えた魚釣用電動リールに関する。
【０００２】
【従来の技術】
一般に、魚釣用リールは、リール本体と、釣糸が巻回されるスプールとを備えて成る。そして、リール本体の内部には、スプールに釣糸を巻き取る巻取駆動機構、スプールに釣糸を平行に巻回するための平行巻駆動機構、スプールに制動力を付与する制動機構などが収容されている。
【０００３】
このような魚釣用リールは、他の技術分野の製品と異なり、水（海水や淡水）や異物が付着し易い過酷な環境下で使用されるため、実釣時にリール本体内の駆動部に水や異物等が侵入しないようにしなければならない。とりわけ、電装部品が装備された電動リールにあっては、防水の面での配慮が厳しく要求される。
【０００４】
そのため、スプールの糸巻き胴部内にスプール駆動用モータを収納するスプールインタイプの電動リールにおいては、スプール内に直接にモータを収納するのではなく、モータを筒状の収容体に収容し、この収容体をモータとともにスプール内に収納するようにしている。例えば、実用新案登録第２５３０８１６号では、モータをスプールの糸巻き胴部内に水密に収納するため、前記収容体をリール本体と一体的に形成する（リール本体の一側部によって前記収容体を形成する）とともに、リール本体の前記一側部と反対側に位置する前記収容体の端部から、収容体の径方向内側に向かう鍔状部を延設し、この鍔状部にモータの一端を接触させてビスにより固定するようにしている。
【０００５】
【発明が解決しようとする課題】
しかしながら、実用新案登録第２５３０８１６号に開示された構造にあっては、収容体の鍔状部にモータの一端をビスにより固定するため、モータ駆動軸の軸心の心出し精度が鍔状部によって規定されてしまう。すなわち、鍔状部に対するモータの固定位置に狂いが生じている場合には、モータ駆動軸の軸心とスプールを含む回転駆動系の軸心とを高精度に一致させること（同心度を高精度に得ること）が難しい。また、モータを収容体に組み付ける際に、モータ駆動軸の同心度を調整することも難しい。そのため、モータ駆動軸の軸心のズレによって、モータ駆動時に異音や振動が発生したり、軸受や駆動部の摩耗が促進されるといった問題が生じる。
【０００６】
また、実用新案登録第２５３０８１６号に開示された構造にあっては、前述したように、モータを収容する前記収容体がリール本体（リール本体の一側部）と一体的に形成されており、しかも、このリール本体の一側部と反対側に位置する前記収容体の鍔状部にモータが固定されているため、モータのメンテナンス作業（清掃や部品交換等）を行なう場合には、リール本体の一側部と反対側にあるリール本体の他側部側からアクセスしてモータの固定状態を解除しなければならない。この場合、リール本体の他側部側には、巻取駆動機構および減速機構が設けられているため、メンテネンス作業が非常に面倒である（メンテナンス性が劣る）。
【０００７】
本発明は前記事情に着目してなされたものであり、その目的とするところは、スプール駆動用モータをスプール内に水密状態で収納できるとともに、モータ収納時にモータ駆動軸の同心度を高精度且つ容易に得ることができるメンテネンス性に優れた魚釣用電動リールを提供することにある。
【０００８】
【課題を解決するための手段】
前記課題を解決するために、本発明の１つの形態は、リール本体に回転自在に支持されたスプールと、前記スプールを回転駆動させるスプール駆動用モータとを備え、前記スプール駆動用モータを収容体内に収容するとともに、この収容体を介して前記スプール駆動用モータを前記スプールに内蔵して成る魚釣用電動リールにおいて、前記収容体は、リール本体の一側枠からスプールの軸方向に延びる円筒部材として形成されるとともに、前記一側枠と反対側に位置するその端部に、収容体の径方向内側に突出する環状の保持部を有し、この保持部と前記一側枠との間で前記スプール駆動用モータを回転不能に挟着保持することを特徴とする。
【０００９】
また、本発明の他の形態は、リール本体に回転自在に支持されたスプールと、前記スプールを回転駆動させるスプール駆動用モータとを備え、前記スプール駆動用モータを収容体内に収容するとともに、この収容体を介して前記スプール駆動用モータを前記スプールに内蔵して成る魚釣用電動リールにおいて、前記収容体は、リール本体の一側枠からスプールの軸方向に延びる円筒部材として形成されるととも、前記一側枠と反対側に位置するその一端部内面に環状の凸部を有し、この凸部は、前記スプール駆動用モータの端部外周面に当接してこれを保持することにより、前記スプール駆動用モータの駆動軸の軸心位置を規定し、また、前記収容体の前記一端部の開口は、収容体内を水密に維持するシール材によって閉塞されていることを特徴とする。
【００１０】
【発明の実施の形態】
以下、図面を参照しながら本発明の一実施形態について説明する。
図１および図２は本発明の第１の実施形態を示している。図１に示すように、本実施形態に係る魚釣用電動リール１は、左右両側に側板４ａ，４ａ’が着脱自在に取り付けられたリール本体４を有している。リール本体４には、図中向かって右側に、後述する手動巻取り駆動部１５０を構成する手動ハンドルＨが取り付けられている。また、リール本体４の上側には操作パネル９３が設けられている。また、左側板４ａと右側板４ａ’との間には、釣糸が巻回されるスプール８が回転自在に支持されている。
【００１１】
スプール８の内部には、スプール８を回転駆動させるためのスプール駆動用モータ１０が収容されている。このモータ１０には、図示しないバッテリから電力が供給されるようになっている。具体的には、モータ１０の電気接点７２に接続された電気ライン７１がリール本体４の図示しないコネクタに電気的に接続されており、給電コード７４を介して前記コネクタを図示しないバッテリに接続することにより、モータ１０への給電が行なわれるようになっている。
【００１２】
スプール駆動用モータ１０は、スプール８と同軸に配置されている。スプール駆動用モータ１０の左駆動軸１０ａには、スプール駆動用モータ１０の逆回転を防止するための一方向クラッチ９０が連結されており、また、右駆動軸１０ｂには減速機構（遊星歯車伝達機構）４０が連結されている。
【００１３】
一方向クラッチ９０は、スプール駆動用モータ１０が右側板４ａ’側から見て時計回りに回転（正転駆動）した時に、フリー回転状態（駆動軸１０ａ，１０ｂを自由に回転させる状態）となってスプール８の巻き取り駆動を可能とし、手動ハンドルＨで巻き取り操作された時に、駆動軸１０ａ，１０ｂの回転が阻止されて手動ハンドルＨの動力がスプール８に伝達されるように設定構成されている。なお、以下において、時計回り、反時計回りとは、全て右側板４ａ’側から見たものとする。
【００１４】
スプール駆動用モータ１０の右駆動軸１０ｂと右側板４ａ’との間には、手動巻取り駆動部１５０の動力を減速機構４０に伝達する回転駆動軸４５が、スプール駆動用モータ１０の左右駆動軸１０ａ，１０ｂと同軸に設けられている。この回転駆動軸４５は、軸受１００，１０１によって回転可能に支持されている。なお、軸受１０１は、後述するように、回転駆動軸４５の軸方向に移動できる。
【００１５】
減速機構４０は、第１ないし第３の遊星ギヤ機構４０Ａ，４０Ｂ，４０Ｃから成り、スプール駆動用モータ１０の正転駆動時に右駆動軸１０ｂの回転運動を第１の遊星ギヤ機構４０Ａで減速させた後、更に、第２および第３の遊星ギヤ機構４０Ｂ，４０Ｃで減速させてスプール８に伝達するように構成されている。
【００１６】
具体的には、第１の遊星ギヤ機構４０Ａは、スプール駆動用モータ１０の右駆動軸１０ｂと一体回転する第１の太陽歯車５０と、この第１の太陽歯車５０に噛合した複数の第１の遊星歯車５１と、これら第１の遊星歯車５１が常時噛合するようにスプール８の端面に刻設された内歯歯車５２とを備えている。
【００１７】
また、第２の遊星ギヤ機構４０Ｂは、スプール駆動用モータ１０の右駆動軸１０ｂに回転可能に支持された第２の太陽歯車５５と、この第２の太陽歯車５５に噛合した複数の第２の遊星歯車５７とを備えており、複数の第２の遊星歯車５７は内歯歯車５２に常時噛合するようになっている。
【００１８】
更に、第３の遊星ギヤ機構４０Ｃは、スプール駆動用モータ１０の右駆動軸１０ｂに回転可能に支持された第３の太陽歯車５８と、この第３の太陽歯車５８に噛合した複数の第３の遊星歯車５９とを備えており、複数の第３の遊星歯車５９は内歯歯車５２に常時噛合するようになっている。
【００１９】
また、複数の第１の遊星歯車５１はそれぞれ第１のキャリア６０に支持されており、この第１のキャリア６０は第２の太陽歯車５５と一体回転するよう連結されている。また、複数の第２の遊星歯車５７はそれぞれ第２のキャリア６１に支持されており、この第２のキャリア６１は第３の太陽歯車５８と一体回転するよう連結されている。更に、複数の第３の遊星歯車５９はそれぞれ第３のキャリア６２に支持されており、この第３のキャリア（支持体）６２は、係止ピン１０３を介して回転駆動軸４５に連結され、回転駆動軸４５と一体で回転するようになっている。
【００２０】
また、本実施形態の魚釣用リール１は、釣糸の繰り出しで回転するスプール３に制動力を付与しながらスプール３の釣糸繰り出し方向への回転を許容する制動作用を与えるとともに、この制動作用を利用してスプール８をフリー回転状態と釣糸巻取り状態とに切換えるクラッチ作用を与えるドラグ機構１６０を備えている。
【００２１】
具体的には、ドラグ機構１６０は、回転駆動軸４５に回転可能に嵌合支持された収容体２０と、この収容体２０と噛み合ってこれと一体回転する複数の第１の制動板（ワッシャ）２１Ａ，２１Ｂと、回転駆動軸４５に回り止め支持（嵌合）されて回転駆動軸４５と一体に回転する第２の制動板（ワッシャ）２２と、リール本体４の右側板４ａ’に対して前後方向（図面の表裏方向）に回動可能に取り付けられたドラグ操作部材（ドラグ力調節部材）２７と、ドラグ操作部材２７の回転によって制動板２１Ａ，２１Ｂ，２２を押圧するように移動される押圧機構と、制動板２１Ａ，２１Ｂ，２２の摩擦面（制動面）間に介在して設けられたライニング材２３とを備えている。この場合、各制動板２１Ａ，２１Ｂ，２２およびライニング材２３は、一括して収容体２０の凹状の収容部内に収容されるとともに、回転駆動軸４５の軸方向に移動自在となっている。
【００２２】
また、前記押圧機構は、ドラグ操作部材２７に回り止め嵌合された第１のカム部材２９と、第１のカム部材２９と係合し且つドラグ操作部材２７の回動操作に伴う第１のカム部材２９の回転によって回転駆動軸４５の軸方向に移動する第２のカム部材３０と、第２のカム部材３０に保持され且つ第２のカム部材３０とともに軸方向に移動する押圧部材３１と、回転駆動軸４５および前記軸受１０１に回転可能に嵌合支持されて制動板２１Ｂを押圧する押圧体２４と、押圧部材３１と押圧体２４との間に介挿され且つ押圧部材３１によって押圧移動される板ばね２５および軸受２８とから成る。
【００２３】
この場合、第１および第２のカム部材２９，３０は、リール本体４の右側板４ａ’に固定された支持部材３２内に収容され、この支持部材３２によって軸方向に移動可能に支持されている。また、第２のカム部材３０は、支持部材３２の内面に軸方向に沿って形成された回り止め溝３３と係合することにより、その回転が規制されている。また、軸受２８は、回転駆動軸４５の端部を回転可能に支持するとともに、回転駆動軸４５に対して軸方向に移動できる。また、板バネ２５は、回転駆動軸４５の外周に嵌合され、回転駆動軸４５の軸方向に移動できる。
【００２４】
なお、押圧部材３１と回転駆動軸４５の端部との間には、押圧部材３１の軸方向の移動を許容する所定の空間Ｓが形成されるようになっている。また、収容体２０と第２の制動板２２との間および第２の制動板２２と軸受１０１（押圧体２４）との間には、圧縮コイルバネ２６が介挿されている。これらの圧縮コイルバネ２６は、回転駆動軸４５の外周に巻装されており、制動板２２と収容体２０と軸受１０１（押圧体２４）とを互いに軸方向に離間させる方向（押圧力を解除する方向）で付勢している。また、収容体２０の収容部２０ａの一端開口には、収容体２０内を水密に維持するためのシール部材８０が設けられている。
【００２５】
また、リール本体４の右側板４ａ’には、右側板４ａ’からのドラグ操作部材２７の抜けを防止する抜け止めプレート３４が、止め輪３５を介して、右側板４ａ’に対して螺着されている。また、押圧部材３１には微調整用ノブ３６が係合しており、この微調整用ノブ３６を回転させることによって押圧部材３１を軸方向に移動できるようになっている。なお、微調整用ノブ３６の軸方向への移動量は抜け止めプレート３４によって制限されている。
【００２６】
また、押圧体２４の外周面には、係止ピン３７を介して、ピニオンギヤ３８が嵌合されている。すなわち、ピニオンギヤ３８は、押圧体２４と一体的に回転できるようになっている。また、ピニオンギヤ３８には、手動巻取り駆動部１５０のドライブギヤ６６が噛合している。
【００２７】
手動巻取り駆動部１５０は、ハンドルＨと、ハンドルＨと一体で回転するハンドル軸６５と、ハンドル軸６５に回り止め嵌合されたドライブギヤ６６とを備えて成る。
【００２８】
また、ハンドル軸６５の基端部には、スプール駆動用モータ１０によってスプール８を釣糸巻取方向に回転させた際に、これに連動してハンドル軸６５が回転しないように、逆転防止機構が設けられている。この逆転防止機構は、外周面にラチェット爪６７ａが所定ピッチで形成されたラチェットギヤ６７と、ラチェット爪６７ａに対して一定の付勢力で常時係合している図示しないストッパとを備えており、ラチェットギヤ６７は、ハンドル軸６５に回り止め嵌合されている。このような逆転防止機構によれば、スプール駆動用モータ１０によってスプール８を釣糸巻取方向に回転させた場合、その回転方向では、ラチェット爪６７ａに前記ストッパが係止方向で噛み合うため、ラチェットギヤ６７の回転が阻止され、スプール駆動用モータ１０の回転に連動してハンドル軸６５が回転することが防止される。したがって、スプール駆動用モータ１０の動力は減速機構４０を介してスプール８のみに伝達される。これに対し、手動ハンドルＨの回転操作によってスプール８を釣糸巻取方向に回転させた場合、その回転方向では、ラチェット爪６７ａに係合する前記ストッパはラチェットギヤ６７の回転を許容するため、手動ハンドルＨの回転操作に連動してハンドル軸５４を回転させることができる。
【００２９】
なお、スプール８の前方には、スプール８の回転に連動して動作するレベルワインド機構９５が設けられている。このレベルワインド機構９５は、外周面にトラバース溝が形成され且つ端部にギア１２１が取り付けられたウォームシャフトと、このウォームシャフトを収容する筒体１２０と、前記トラバース溝と係合して前記ウォームシャフトの回転により筒体１２０に沿って左右に摺動する係合子１２８とを有しており、係合子１２８に形成された孔１２８ａを介してスプール８に巻回された釣糸を案内する。したがって、ハンドルＨを回転操作すれば、スプール８の回転および係合子１２８の左右の摺動により、スプール８には釣糸が均等に巻回される。
【００３０】
このような構成の魚釣用電動リール１においては、まず、ドラグ操作部材２７を一方向に回転操作すると、ドラグ操作部材２７に回り止め嵌合する第１のカム部材２９が回転し、それに伴って、第２のカム部材３０が回転駆動軸４５の軸方向に移動する。その結果、軸受２８、板ばね２５、押圧体２４が圧縮コイルバネ２６の付勢力に抗して軸方向に移動され、押圧体２４によって制動板２１Ａ，２１Ｂ，２２が押圧される。これにより、制動板２１Ａ，２１Ｂ，２２が回転駆動軸４５の軸方向に沿ってスライドされ、制動板２１Ａ，２１Ｂ，２２の摩擦面同士がライニング材２３を介して圧接されるとともに、制動板２１Ａが収容体２０に所定の押圧力で押さえ付けられる。そして、この時の押圧力が制動板２２を介して回転駆動軸４５に作用することにより、押圧体２４を含む押圧機構の構成要素が回転駆動軸４５に対して摩擦結合され、スプール８に所定のドラグ力が発生する。
【００３１】
このように所定のドラグ力が形成された状態で、手動ハンドルＨを時計回りに回転操作すると、ドライブギヤ６６およびドライブギヤ６６と噛み合うピニオンギヤ３８が回転され、ピニオンギヤ３８と一体の押圧体２４が回転する。そして、この押圧体２４の回転力は、押圧機構による前記摩擦結合力に応じて、回転駆動軸４５に伝達され、回転駆動軸４５に連結された第３のキャリア６２を反時計回りに回転させる。この時、遊星歯車５９は、反時計回りに自転すると共に公転し、内歯歯車５２を反時計回りに増速した状態で回転駆動する。これにより、スプール８は、釣糸巻取り方向に回転駆動される。なお、内歯歯車５２の反時計回りの回転駆動により、第１の太陽歯車５０は時計回りに回転しようとするが、その回転駆動は、モータ１０に対して反対側に位置する一方向クラッチ９０によって規制される。
【００３２】
また、手動ハンドルＨによらず、スプール駆動用モータ１０を正転駆動（時計回り）させると、第１の太陽歯車５０は時計回りに回転駆動される。この回転駆動により、遊星歯車５１は、反時計回りに回転すると共に時計回りに公転し、第３の太陽歯車５８が時計回りに回転する。この回転方向では、前述した逆転防止機構によってハンドル軸６５の回転が規制されているため、ハンドル軸６５にドライブギヤ６６を介して連結したピニオンギヤ３８（押圧体２４）の回転（時計回りの回転）が規制される。その結果、ピニオンギヤ３８と摩擦結合した回転駆動軸４５および第３のキャリア６２は、回転することなく一定位置に静止した状態に維持される。したがって、第３の太陽歯車５８が時計回りに回転した際、第３のキャリア６２に回転可能に支持された複数の遊星歯車５９は、第３の太陽歯車５８の回りを公転することなく一定位置で反時計回りに自転する。
【００３３】
この状態において、複数の遊星歯車５９の反時計回りの回転運動は、スプール８の端面に刻設された内歯歯車５２に減速されて伝達され、この内歯歯車５２を反時計回りに回転させる。そして、これに伴ってスプール８は、釣糸巻取方向（反時計回り）に回転する。この結果、釣糸は、図示しない釣糸案内機構を介してスプール８に均一に巻き取られる。なお、このような電動巻取時には、前記逆転防止機構が機能しているため、手動ハンドルＨが連動して高速で回転することはない。
【００３４】
一方、ドラグ操作部材２７を他方向に回転操作していくと、圧縮コイルバネ２６の付勢力によって押圧体２４が押し戻され、制動板２１Ａ，２１Ｂ，２２同士が互いに離間する。したがって、押圧体２４を含む押圧機構の構成要素と回転駆動軸４５との摩擦結合力すなわちドラグ力が弱まる。そして、ドラグ操作部材２７を他方向に十分回転操作すると、最終的に、スプール８はフリー回転可能状態に維持される。この状態では、釣糸を仕掛けの自由落下によってスプール８から繰り出すことができる。
【００３５】
次に、スプール８内にスプール駆動用モータ１０を収納するための構造について説明する。
【００３６】
スプール駆動用モータ１０は、リール本体４とは別体の筒状の収容体２２０内に収容され、この収容体２２０とともにスプール８内に収納されている。具体的には、図２に拡大して示されるように、収容体２２０は、スプール８内に収納可能な筒状体として形成されている。収容体２２０の一端には、収容体２２０の径方向外側に突出する環状のフランジ部２２０ｂが形成され、このフランジ部２２０ｂは、左側板４ａに隣接するリール本体４の側枠４ｂに対して止めネジ２３０により固定されている。この場合、フランジ部２２０ｂと側枠４ｂとの間には、弾性材料によって形成されたシール材２３９が介挿されている。また、モータ１０の端面と側枠４ｂとの間にも弾性材料によって形成されたシール材２３７が介挿されている。なお、モータ１０の電気接点７２に接続された前述の電気ライン７１は、側枠４ｂを貫通して延びており、この電気ライン７１と側枠４ｂとの間にも、弾性材料によって形成されたシール材２７３が介挿されている。
【００３７】
また、収容体２２０の他端には、収容体２２０の径方向内側に突出する環状の保持部２２０ａが形成されており、この環状の保持部２２０ａの開口２２０ｄを通じてモータ１０の駆動軸１０ｂが収容体２２０から導出されている。また、環状の保持部２２０ａの内周縁からは、軸方向外側に突出する筒状のボス部２２０ｅが延びている。このボス部２２０ｅは、収容体２２０と減速機構４０との間を仕切る環状の仕切板２７７の開口２７７ａに所定の間隙をもって挿入されている。
【００３８】
収容体２２０の環状の保持部２２０ａの内面には、収容体２２０の軸方向に突出する少なくとも１つ（本実施形態では、収容体２２０の軸心に対して対称に２つ）の凸部２２０ｃが形成されている。また、保持部２２０ａの内面と対向するモータ１０の端面には、凸部２２０ｃと対向する部位に、凸部２２０ｃが挿入可能な凹部１０ｃが形成されている。これらの凸部２２０ｃおよび凹部１０ｃは、互いに係合することによって、モータ１０の回転を防止する回り止め機構２５０を構成する。なお、凹部１０ｃは、後述するようにモータ１０の駆動軸１０ａ，１０ｂの同心度を調整（モータ１０の駆動軸１０ａ，１０ｂの軸心とスプール８および回転駆動軸４５の軸心とを一致させる調整）し得る所定のクリアランスを凸部２２０ｃとの間に形成するような大きさで設けられていることが望ましい。
【００３９】
また、収容体２２０の環状の保持部２２０ａとモータ１０との間には、弾性材料からなる略筒状のシール材２２５が介挿されている。このシール材２２５は、保持部２２０の内面とモータ１０の端面との間に介挿される外端フランジ部２２５ａと、モータ１０の駆動軸１０ｂの外周面にシール状態で密着する内周縁部２２５ｂとを有している。
【００４０】
以上のような構造を用いてスプール駆動用モータ１０をスプール８内に収納する場合には、まず、シール材２２５およびシール材２３７が装着されたモータ１０を、シール材２３９が装着された収容体２２０内に嵌挿するとともに、モータ１０の凹部１０ｃと環状保持部２２０ａの凸部２２０ｃとを係合させることによって、モータ１０を収容体２２０内にある程度位置決めした状態で収容する。この時、シール材２２５の外端フランジ部２２５ａがモータ１０の端面と保持部２２０ａの内面との間に挟まれ、また、保持部２２０ａの開口２２０ｄからモータ１０の駆動軸１０ｂが所定の同心度をもって導出される。
【００４１】
続いて、このようにしてモータ１０が収容された収容体２２０をスプール８内に挿入する。この時、保持部２２０ａのボス部２２０ｅを仕切板２７７の開口２７７ａに挿入するようにして、収容体２２０をスプール８内である程度大まかに位置決めする。そして、最終的に、収容体２２０のフランジ部２２０ｂをリール本体４の側枠４ｂに対して当て付けて、止めネジ２３０を捩じ込んでいくと、保持部２２０が側板４ｂ側に引き寄せられる。これにより、モータ１０は、保持部２２０ａからの押圧作用により側板４ｂに対して押し付けられ、シール材２２５，２３７，２３９を介して保持部２２０ａと側枠４ｂとの間でガタ付くこと無く挟持される。また、この止めネジ２３０を捩じ込んでいく過程で、モータ１０は、シール材２２５，２３７，２３９の弾性作用により、その駆動軸１０ａ，１０ｂの軸心がスプール８および回転駆動軸４５の軸心と一致するように微調整される。
【００４２】
以上説明したように、本実施形態の魚釣用電動リール１は、スプール駆動用モータ１０をスプール８内に収納するための収容体２２０を備え、この収容体２２０は、リール本体４の側枠４ｂからスプール８の軸方向に延びる円筒部材として形成されるとともに、側枠４ｂと反対側に位置するその端部に、収容体２２０の径方向内側に突出する環状の保持部２２０ａを有し、この保持部２２０ａと側枠４ｂとの間で弾性材２２５，２３７，２３９を介してスプール駆動用モータ１０を回転不能に挟着保持する。すなわち、収容体２２０の保持部２２０ａと側枠４ｂとの間で直接にモータ１０が挟持固定されるのではなく、弾性材２２５，２３７，２３９を介してモータ１０が収容体２２０の保持部２２０ａと側枠４ｂとの間で弾性的に挟持される。そのため、モータ１０は、シール材２２５，２３７，２３９の弾性作用により、その駆動軸１０ａ，１０ｂの軸心がスプール８および回転駆動軸４５の軸心と一致するように調整される。したがって、スプール８へのモータ１０の収納時に、モータ１０の駆動軸１０ａ，１０ｂの同心度を高精度且つ容易に得ることができ、モータ１０の駆動時に異音や振動が発生したり、軸受や駆動部の摩耗が促進されるといった不都合を回避することができる。
【００４３】
また、本実施形態において、軸心調整用の弾性体２２５，２３７，２３９は、スプール駆動用モータ１０が収容される収容体２２０内の防水を図るシール材を兼ねているため、少ない部品点数で、防水および軸心調整の両方を行なうことができる。
【００４４】
また、本実施形態において、収容体２２０は、リール本体４と別体で形成され、リール本体４の側枠４ｂに固定されている。したがって、収容体２２０の製作が容易になるとともに、放熱性や強度等を考慮した材料選択が可能になり、設計の自由度の拡大やコスト低減が可能となる。
【００４５】
図３および図４は本発明の第２の実施形態を示している。なお、本実施形態において、第１の実施形態と共通する構成部分については、以下、同一符号を付してその説明を省略する。
【００４６】
本実施形態の魚釣用電動リール１Ａの収容体２２０Ａは、側枠４ｂと反対側に位置するその他端の内面に、収容体２２０Ａの径方向内側に突出する環状の凸部２２０ｈを有している。この凸部２２０ｈは、減速機構４０および回転駆動軸４５に結合される駆動軸１０ｂに近いモータ１０の端部外周面に当接してこれを保持し、減速機構４０および回転駆動軸４５等に対する駆動軸１０ｂの同心度を正確に確保する。
【００４７】
また、凸部２２０ｈが形成された収容体２２０Ａの他端は、第１の実施形態のように径方向内側に延びる環状の保持部２２０ａを形成することなく、そのまま開口しており、その開口２２０ｆには、これを閉じるように弾性材料からな成るシール材２８０が装着されている。
【００４８】
シール材２８０は、収容体２２０Ａの他端外周に取り付けられる外端部２８０ａと、モータ１０の駆動軸１０ｂの外周面にシール状態で密着する内周縁部２８０ｂと、収容体２２０Ａの開口２２０ｆを閉塞する本体部２８０ｃとを有している。シール材２８０の外端部２８０ａは、収容体２２０Ａの他端外周面に形成された凹部２２０ｇ内に嵌入されるとともに、その上側から断面がＣ字型の弾性リング２８３を弾性的に広げて凹部２２０ｇに嵌着することにより収容体２２０Ａに抜け止め固定される。
【００４９】
また、本実施形態の魚釣用電動リール１Ａにも、モータ１０の回転を防止する回り止め機構２５０Ａが設けられている。この回り止め機構２５０Ａは、側枠４ｂから軸方向に延びる支持体２８３と、この支持体２８３と係合し得るようにモータ１０の端面に形成された凹部１０ｄとから成る。無論、この回り止め機構２５０Ａは、側枠４ｂと反対側に位置する収容体２２０Ａの他端側に設けられていても良い。なお、それ以外の構成は第１の実施形態と同一である。
【００５０】
以上のように、本実施形態の魚釣用電動リール１Ａの収容体２２０Ａは、リール本体４の側枠４ｂと反対側に位置するその他端部内面に環状の凸部２２０ｈを有し、この凸部２２０ｈは、モータ１０の端部外周面に当接してこれを保持することにより、モータ１０の駆動軸１０ａ，１０ｂの軸心位置を規定し、減速機構４０および回転駆動軸４５等に対する駆動軸１０ａ，１０ｂの同心度を正確に確保する。このように、減速機構４０および回転駆動軸４５に結合される駆動軸１０ｂに近いモータ１０の端部を凸部２２０ｈによって径方向から保持すれば、駆動軸１０ｂの同心度を高精度に確保し易い。すなわち、本実施形態は、駆動軸１０ｂの同心度を得易い収容体２２０Ａの他端部内面（凸部２２０ｈ）でモータ１０を支持する方式を採用することにより、モータ１０の偏心に伴うモータ駆動時の異音発生や振動を効果的に防止している。
【００５１】
また、本実施形態では、収容体２２０Ａの他端部開口がシール材によって閉塞されているため、収容体２２０Ａの内部の防水を図ることができる。
【００５２】
更に、本実施形態の収容体２２０Ａには、第１の実施形態のように径方向内側に延びる環状の保持部２２０ａが形成されていないため、保持部２２０ａの肉厚分だけリール全体の軸方向寸法を小さくすることができる。言い換えると、スプール８内の軸方向に保持部２２０ａのためのスペースを確保する必要がないため、スプール８内に収容される減速機構４０の配置スペースが制約されないで済む。
【００５３】
図５には、第２の実施形態の変形例が示されている。この変形例では、側枠４ｂがネジ３００を介してリール本体４に着脱自在に取り付けられている。なお、それ以外の構成は第２の実施形態と同一であるため、同一符号を付してその説明を省略する。
【００５４】
したがって、このような構成では、左側板４ａをリール本体４から取り外すとともに、ネジ３００を外して一体化されている側枠４ｂをリール本体から取り外せば、止めネジ２３０を介して側枠４ｂと一体になっている収容体２２０Ａをスプール８内から抜き出すことができるため、モータ１０およびその駆動部のメンテナンス（清掃や部品交換等）を容易に行なうことができる。すなわち、モータ１０を取り出すために、巻取駆動機構および減速機構が設けられている右側板４ａ’側からモータ１０にアクセスしなくて済むため、メンテネンス性が良好である。このように、本変形例によれば、モータの防水を図りながら、良好なメンテナンス性を得ることができる。
【００５５】
【発明の効果】
以上説明したように、本発明によれば、スプール駆動用モータをスプール内に水密状態で収納できるとともに、モータ収納時にモータ駆動軸の同心度を高精度且つ容易に得ることができるメンテネンス性に優れた魚釣用電動リールを提供することができる。
【図面の簡単な説明】
【図１】本発明の第１の実施形態に係る魚釣用電動リールの断面図である。
【図２】図１の魚釣用電動リールの要部拡大断面図である。
【図３】本発明の第２の実施形態に係る魚釣用電動リールの断面図である。
【図４】図３の魚釣用電動リールの要部拡大断面図である。
【図５】本発明の第２の実施形態の変形例に係る魚釣用電動リールの断面図である。
【符号の説明】
１…魚釣用電動リール
４…リール本体
４ａ，４ａ’…側板
４ｂ・・・側枠
８…スプール
１０…スプール駆動用モータ
２２０…収容体
２２０ａ…保持部
２２０ｈ…凸部
２２５，２３７，２３９…シール材（弾性体）
２８０…シール材
【図１】
0003810682.tif 000002
【図２】
0003810682.tif 000003
【図３】
0003810682.tif 000004
【図４】
0003810682.tif 000005
【図５】
0003810682.tif 000006